(57)【要約】【課題】搬送ベルトユニットにおける搬送不良を防止して搬送ベルトユニットの信頼性の向上を図ることができる画像形成装置を提供すること。【解決手段】１次転写された単色トナー像を中間転写体上で重ね合わせて多色トナー像を形成し、２次転写して多色トナー像を被転写体に転写する転写手段（以下、２次転写外ローラ）を備え、２次転写部が定着部の略下方に位置し、２次転写後に除電針が配置され該除電針を保持する部材を有する画像形成装置において、前記除電針保持部材を可動とする。又、小サイズの記録紙が搬送される際に、前記除電針保持部材が第１の位置から第２の位置に移動する制御を備える。更に、記録紙が２次転写部を抜けた直後に、前記除電針保持部材が第１の位置から第２の位置に移動する制御を備える。【選択図】図１
2006089231.tif 000002
【特許請求の範囲】
【請求項１】
１次転写された単色トナー像を中間転写体上で重ね合わせて多色トナー像を形成し、２次転写して多色トナー像を被転写体に転写する転写手段（以下、２次転写外ローラ）を備え、２次転写部が定着部の略下方に位置し、２次転写後に除電針が配置され該除電針を保持する部材を有する画像形成装置において、
前記除電針保持部材を可動としたことを特徴とする画像形成装置。
【請求項２】
小サイズの記録紙が搬送される際に、前記除電針保持部材が第１の位置から第２の位置に移動する制御を備えることを特徴とする請求項１記載の画像形成装置。
【請求項３】
記録紙が２次転写部を抜けた直後に、前記除電針保持部材が第１の位置から第２の位置に移動する制御を備えることを特徴とする請求項１又は２記載の画像形成装置。
【発明の詳細な説明】
【技術分野】
【０００１】
本発明は、画像形成装置に関し、詳しくは、被転写体の搬送に関する。
【背景技術】
【０００２】
従来、ベルト搬送を良好に行うために、ハガキ搬送時には、感光体ドラムからの剥離後、撓みにくい分を考慮して、ベルト搬送装置の駆動ローラ側を支点としてアイドルローラ側を、剥離サポータより低い第１の位置からそれより上方の第２の位置に揺動させ、ハガキの腰の強さに関わらず、搬送ベルト５０に早く接触させ、搬送ベルト５０による搬送開始を早めて、搬送力を強化するというものがある（特許文献１）。
【０００３】
【特許文献１】特開平１１−０８４７８０号公報
【発明の開示】
【発明が解決しようとする課題】
【０００４】
しかしながら、上記の構成においてはベルト搬送装置全体を揺動するため、装置全体の大型化、コストアップが大きな問題点となっていた。
【０００５】
本発明は上記問題に鑑みてなされたもので、その目的とする処は、搬送ベルトユニットにおける搬送不良を防止して搬送ベルトユニットの信頼性の向上を図ることができる画像形成装置を提供することにある。
【課題を解決するための手段】
【０００６】
上記目的を達成するため、請求項１記載の発明は、１次転写された単色トナー像を中間転写体上で重ね合わせて多色トナー像を形成し、２次転写して多色トナー像を被転写体に転写する転写手段（以下、２次転写外ローラ）を備え、２次転写部が定着部の略下方に位置し、２次転写後に除電針が配置され該除電針を保持する部材を有する画像形成装置において、前記除電針保持部材を可動としたことを特徴とする。
【０００７】
請求項２記載の発明は、請求項１記載の発明において、小サイズの記録紙が搬送される際に、前記除電針保持部材が第１の位置から第２の位置に移動する制御を備えることを特徴とする。
【０００８】
請求項３記載の発明は、請求項１又は２記載の発明において、記録紙が２次転写部を抜けた直後に、前記除電針保持部材が第１の位置から第２の位置に移動する制御を備えることを特徴とする。
【発明の効果】
【０００９】
本発明によれば、転写部が定着部に対して略下方に配置されている画像形成装置において、除電針保持部材を移動することによって、はがき等のこしの強い紙が搬送ベルトユニットに張り付いて搬送することが可能になる。従って、搬送ベルトユニットにおける搬送不良を防止することができ、搬送ベルトユニットの信頼性の向上を図ることができる。
【発明を実施するための最良の形態】
【００１０】
以下に本発明の実施の形態を添付図面に基づいて説明する。
【００１１】
図１は本発明に係る画像形成装置の概略構成を示す。本発明は、カラーレーザプリンタ（以下、単に「プリンタ」と呼ぶ）にて具現化されているが、本発明はこれに限定されるものではない。
【００１２】
本実施の形態に係るプリンタの動作概略は次に示す通りである。
【００１３】
即ち、電子写真感光体（感光体）としての像担持体上に、イエロー、マゼンタ、シアン、ブラックの１色毎のトナー像を順次形成し、この感光体上の各色のトナー像を更に中間転写体上に１色毎に転写することを繰り返し、中間転写体上に例えばフルカラーのトナー像を形成し、その後、斯かるフルカラーのトナー像を一括に記録材上に転写し、次いで定着して永久画像を得る。以下、更に詳しく説明する。
【００１４】
プリンタは、その概略中心部に像担持体としてのドラム状の電子写真感光体である感光ドラム１を備えており、画像形成動作が開始すると感光ドラム１の表面を帯電手段としての帯電ローラ２が所定極性、所定電圧に帯電させる。
【００１５】
次いで、中間転写体としての中間転写ベルト８上に感光ドラム１上のトナー像を転写する際の転写位置を考慮して決定される画像書き出し位置を検知器８が検知し、この検知器８からの基準信号（ＴＯＰ信号）に同期して画像信号（ＶＤＯ信号）により変調されたレーザ光Ｌが感光ドラム１上を走査露光し、先ず１色目の画像信号に対応する静電潜像が感光ドラム１上に形成する。このとき、露光の水平走査開始点を示す信号（ＢＤ信号）を検知器４ｅが検知することで、ＢＤ信号に同期した露光が行われる。
【００１６】
ここで、露光系４は、レーザ光Ｌを発光させるレーザユニット４ａ、レーザ光Ｌを水平走査させるポリゴンミラー４ｂ、ポリゴンミラー４ｂを低速回転させるスキャナモータ４ｃ、レーザ光Ｌを結像させるｆθレンズ４ｄ、水平走査開始点を示すＢＤ信号を検知する上記の光検知器４ｅ、レーザ光Ｌを感光ドラムに導く反射ミラー４ｆ等から成る。又、レーザ光Ｌは、レーザユニット４ａの入力信号である上記の画像信号（ＶＤＯ信号）でオンオフ変調される。
【００１７】
一方、回動型現像体３ａには、イエロー、マゼンタ、シアン、ブラックそれぞれの現像剤を有する現像装置３Ｙ，３Ｍ，３Ｃ，３Ｂｋが備えられており、所望のタイミングにて回動型現像体３ａが回転することによって、それぞれの現像装置（３Ｙ，３Ｍ，３Ｃ，３Ｂｋ）が感光ドラム１と対向する位置に配置される。このようにして、先ず１色目の静電潜像を現像するためにイエロー現像装置３Ｙが感光ドラム１と対向する位置に配置され、１色目のイエロートナー像が感光ドラム１上に形成する。
【００１８】
その後、感光ドラム１上のイエロートナー像は、中間転写ベルト８にトナーと逆極性の転写バイアス電圧が印加されることによって、中間転写ベルト８上に転写される。
【００１９】
上記同様の工程を、２色目、３色目、４色面であるそれぞれマゼンタ、シアン、ブラックについて繰り返し、中間転写ベルト９上に例えばフルカラーのトナー像が形成する。
【００２０】
更に、検知器８からの基準信号（ＴＯＰ信号）に基づいた所望のタイミングで、給紙カセット１２に収容された記録材Ｐを給紙ローラ１３が画像形成装置内に送り出して、更に記録材Ｐへのトナー像の転写のタイミングを制御するためのレジストレーションローラ１４まで給紙し、そこで一旦停止させる。次いで、記録材Ｐは、所定の転写タイミングに同期してレジストレーションローラ１４から再給紙され、中間転写ベルト８上のフルカラーのトナー像が記録材Ｐ上に、転写手段としての転写ローラ５によって静電的に一括転写され、記録材Ｐ上には未定着のフルカラートナー像が形成する。
【００２１】
未定着のフルカラートナー像を担持した記録材Ｐは、記録材搬送手段としての搬送ベルトユニット１６によって定着装置６まで搬送され、未定着フルカラートナー像は、熱及び圧力により記録材Ｐ上に融着されて永久画像となり、その後記録材Ｐは、記録材搬送手段としての搬送ローラ１７，１８によって画像形成装置外に排出される。
【００２２】
尚、中間転写ベルト８上への転写（各色毎）が終了した感光ドラム１及び記録材Ｐ上へのフルカラートナー像の転写が終了した中間転写ベルト８の表面に残留する転写残トナー等は、それぞれブレード状のクリーニング部材を有するクリーニング装置７，１１によって除去されて画像形成を繰り返し行うことができる。又、マルチ給紙トレイ１９及びマルチ給紙トレイ用の給紙ローラ１５を用いることにより、複数種類の記録材Ｐの給紙が行える。
【００２３】
ここで、本発明における転写部から定着部への記録材Ｐの動きについて説明する。
【００２４】
転写ローラ５から排出された記録材Ｐは、除電針保持部材１９の上方を通過し搬送ベルトユニット１６に記録材Ｐが接触する。その後、搬送ベルトユニット１６内にある吸引部材２０によって記録材Ｐは、搬送ベルトユニット１６に張り付き、定着器６に搬送される。記録材Ｐがこしの弱い紙の場合、図２（ａ）のように、記録材Ｐは吸引部材２０による吸引力と記録材Ｐの自重によって搬送ベルトユニット１６に張り付いて搬送される。それに対して記録材Ｐがこしの強い紙の場合、図２（ｂ）のように、記録材Ｐのこしが強いため、吸引部材２０による吸引力と記録材Ｐの自重によっても、搬送ベルトユニット１６に張り付くことがなく、転写ローラ５と定着器６によって搬送されることとなる。
【００２５】
しかし、記録材Ｐの全長が短くこしが強い場合、図３のように除電針保持部材１９と定着入口ガイド２２の間で記録材Ｐがつっ張ってしまい、記録材Ｐに搬送力を与える部材がなくなり、記録材Ｐはストップしてしまう。ここで、図４のように除電針保持部材１９を図示しない移動手段によって下方に移動させることにより、記録紙Ｐの後端の位置が移動し、搬送ベルトユニット１６に接触することによって、全長が短くこしが強い記録材Ｐでも良好に転写部から定着部への搬送を実現することができる。
【００２６】
次に、除電針保持部材１９が移動する制御について図５を用いて説明する。
【００２７】
ユーザーが図示しない操作部において、記録紙Ｐとして厚紙若しくは特殊紙を選んだ場合、除電針保持部材１９が移動する制御へと移行する。ここで、特殊紙とは、例えばはがきがそれに当て嵌まる。上記で説明したプリンタの動作概略において、レジストレーションローラ１４が最給紙を始めるタイミングで、除電針保持部材１９は移動し始める。その後、除電針保持部材１９の上方を記録紙Ｐが通過し、定着器６を通り排紙され、ジョブ終了後の後回転処理中に除電針保持部材１９が元の位置に戻るという制御である。ここで、除電針保持部材１９は移動し始めるタイミングを、レジストレーションローラ１４が最給紙を始めるタイミングとしたが、ジョブの開始時より除電針保持部材１９を移動させておくことも可能で、上記のタイミングはこれに限定するものではない。
【００２８】
又、上記のタイミングを記録紙Ｐが２次転写部を抜けた直後に設定することによって、除電針２１の記録紙Ｐへの効果を記録紙Ｐの後端まで持続させることが可能となり、画像への影響を最小限に抑え、良好に記録紙Ｐの搬送を実現することができる。
【図面の簡単な説明】
【００２９】
【図１】本発明に係る画像形成装置の概略構成図である。
【図２】本発明に係る紙の挙動を示す概略図である。
【図３】本発明に係る紙の挙動を示す概略図である。
【図４】本発明に係る紙の挙動を示す概略図である。
【図５】本発明に係る除電針保持部材の制御を示したフローチャートである。
【符号の説明】
【００３０】
１      感光ドラム（像担持体、電子写真感光体）
２      帯電手段
３      現像装置
３ａ    回動型現像体（回転体）
４      露光系
５      転写ローラ（転写手段）
６      定着装置
８      中間転写体
１６    搬送ベルトユニット
１９    除電針保持部材
２０    吸引部材
２１    除電針
【図１】
2006089231.tif 000003
【図２】
2006089231.tif 000004
【図３】
2006089231.tif 000005
【図４】
2006089231.tif 000006
【図５】
2006089231.tif 000007